(57)【要約】【課題】  車両走行状態を想定した様々な降雨状況や降雨強さを再現できるようにして、ドライバーにリアルな降雨体験をさせる降雨体験装置を提供する。【解決手段】  ハウジングＨの体験室Ｒにその上方より水を下向きに噴霧し得る噴霧装置Ｊｅと、その噴霧された無数の水滴を当てて雨粒として集積、滴下させるルーバーＬと、噴霧装置Ｊｅ上方からルーバーＬを通して体験室Ｒ内に下向きに送風する送風機Ｂとを備えた降雨体験装置において、体験室Ｒには、自動車モデルＭと、そのフロントガラスＦｇに対しルーバーＬからの滴下雨粒を吹き当てるべく、ルーバーＬよりも下方で該ガラスの正面側より該ガラスに向かって送風を行う擬似走行風発生手段Ｗと、自動車モデルＭｖ内の体験者がフロントガラスＦｇを通して視認可能な前方道路表示部１とが設けられる。【選択図】    図５
2005037720.tif 000002
【特許請求の範囲】
【請求項１】
体験者が出入り可能な体験室（Ｒ）を形成するハウジング（Ｈ）と、ノズル口径の相異なる複数種類の噴水ノズル（Ｎ1 〜Ｎ4 ）を有して前記体験室（Ｒ）にその上方より水を下向きに噴霧し得る噴霧装置（Ｊｅ）と、その噴霧装置（Ｊｅ）よりも下方で前記体験室（Ｒ）の天井部を構成するように配設され、該噴霧装置（Ｊｅ）により噴霧された無数の水滴を当てて雨粒として集積、滴下させる水平なルーバー（Ｌ）と、そのルーバー（Ｌ）から滴下する雨粒を下方に付勢すべく、噴霧装置（Ｊｅ）上方から該ルーバー（Ｌ）を通して前記体験室（Ｒ）内に下向きに送風する送風機（Ｂ）とを備えた降雨体験装置において、
前記体験室（Ｒ）には、体験者が乗降可能な自動車モデル（Ｍ）と、この自動車モデル（Ｍ）のフロントガラス（Ｆｇ）に対し前記ルーバー（Ｌ）からの滴下雨粒を吹き当てるべく、該ルーバー（Ｌ）よりも下方で該フロントガラス（Ｆｇ）の正面側より該フロントガラス（Ｆｇ）に向かって送風を行う擬似走行風発生手段（Ｗ）と、自動車モデル（Ｍｖ）内の体験者が前記フロントガラス（Ｆｇ）を通して視認可能な前方道路表示部（１）とが設けられることを特徴とする、降雨体験装置。
【請求項２】
前記擬似走行風発生手段（Ｗ）は、前記体験室（Ｒ）のフロントガラス（Ｆｇ）との対向壁（Ｈｍｆ）に配設されて、該フロントガラス（Ｆｇ）に正面衝突する空気流を発生させる第１空気流発生手段（Ｗ１）と、同内壁（５１）に配設されて該フロントガラス（Ｆｇ）にその前面に沿って下側より吹き上がる空気流を発生させる第２空気流発生手段（Ｗ２）とを備えたことを特徴とする、請求項１に記載の降雨体験装置。
【請求項３】
前記噴霧装置（Ｊｅ）とルーバー（Ｌ）との間には、該噴霧装置（Ｊｅ）から噴霧された水滴のルーバー（Ｌ）への噴霧領域を拡大し得るように、該水滴と前記送風機（Ｂ）からの噴出空気流とを誘導案内するガイド手段（Ｇ）が配設されることを特徴とする、請求項１又は２に記載の降雨体験装置。
【請求項４】
前記ガイド手段（Ｇ）は、前記噴霧装置（Ｊｅ）の水噴霧部（Ｎ1 〜Ｎ4 ，Ｎ0 ）の略真下に延びる鉛直軸線回りに互いに同心状に配列され且つその半径方向に間隔をおいて並ぶ、直径の相異なる複数の円形ルーバー（３）を備え、各ルーバー（３）の前記鉛直軸線に対する傾斜角は、大径のルーバー（３）ほど大きくなるように設定されたことを特徴とする、前記請求項３に記載の降雨体験装置。
【発明の詳細な説明】
【技術分野】
【０００１】
本発明は、降雨量の程度に応じた様々な降雨状況や降雨強さを自動車のドライバーに模擬体験させるための降雨体験装置に関する。
【背景技術】
【０００２】
一般に降雨の状態は、降雨量の大小に応じて様々に変化するものである。そこでその降雨量の程度に応じた様々な降雨状況や降雨強さを、人が出入り可能な体験室内で極力忠実に再現して模擬体験させることができるようにした降雨体験装置を本発明者は既に提案している。即ち、この提案の降雨体験装置は、体験者が出入り可能な体験室を形成するハウジングと、ノズル口径の相異なる複数種類の噴水ノズルを有して体験室にその上方より水を下向きに噴霧し得る噴霧装置と、その噴霧装置よりも下方で体験室の天井部を構成するように配設され、該噴霧装置により噴霧された無数の水滴を当てて雨粒として集積滴下させる水平なルーバーと、そのルーバーから滴下する雨粒を下方に付勢すべく、噴霧装置上方から該ルーバーを通して体験室内に下向きに送風する送風機とを備えている（下記の特許文献１を参照）。
【特許文献１】特許第２８８４５１０号公報
【発明の開示】
【発明が解決しようとする課題】
【０００３】
ところで上記特許文献１のものは、人が体験室内で傘を差したり雨具を付けたりして降雨体験を行うに過ぎず、自動車のドライバーに車内での降雨体験をさせるようなものではなかった。
【０００４】
そこで上記特許文献１の降雨体験装置の体験室を拡大して本物の自動車の出入りを可能な大型施設とすれば、ドライバーに車内での降雨体験をさせることが一応可能となるが、その場合には、体験の都度、本物の自動車を体験室内に一々出入りさせなければならず、取り扱いが面倒であり、その上、装置の構造が全体として大型且つ複雑化し、コストが嵩む等の問題がある。また停車状態の車内からの降雨体験は可能となっても、走行状態における車内でのリアルな降雨体験は困難である。
【０００５】
本発明は、上記に鑑み提案されたもので、上記問題を解消しながら、車両走行状態を想定した様々な降雨状況や降雨強さを再現できるようにして、ドライバーにリアルな降雨体験をさせることができるようにし、実際の大雨運転時における車内での降雨量の的確な判断を可能とした、構造が比較的簡単且つコンパクトな降雨体験装置を提供することを目的とする。
【課題を解決するための手段】
【０００６】
上記目的を達成するために請求項１の発明は、体験者が出入り可能な体験室を形成するハウジングと、ノズル口径の相異なる複数種類の噴水ノズルを有して前記体験室にその上方より水を下向きに噴霧し得る噴霧装置と、その噴霧装置よりも下方で前記体験室の天井部を構成するように配設され、該噴霧装置により噴霧された無数の水滴を当てて雨粒として集積滴下させる水平なルーバーと、そのルーバーから滴下する雨粒を下方に付勢すべく、噴霧装置上方から該ルーバーを通して前記体験室内に下向きに送風する送風機とを備えた降雨体験装置において、前記体験室には、体験者が乗降可能な自動車モデルと、この自動車モデルのフロントガラスに対し前記ルーバーからの滴下雨粒を吹き当てるべく、該ルーバーよりも下方で該フロントガラスの正面側より該フロントガラスに向かって送風を行う擬似走行風発生手段と、自動車モデル内の体験者が前記フロントガラスを通して視認可能な前方道路表示部とが設けられることを特徴とする。
【０００７】
また請求項２の発明は、前記請求項１の発明の特徴に加えて、前記擬似走行風発生手段が、前記体験室のフロントガラスとの対向壁に配設されて、該フロントガラスに正面衝突する空気流を発生させる第１空気流発生手段と、同内壁に配設されて該フロントガラスにその前面に沿って下側より吹き上がる空気流を発生させる第２空気流発生手段とを備えたことを特徴としている。
【０００８】
また請求項３の発明は、前記請求項１又は２の発明の特徴に加えて、前記噴霧装置とルーバーとの間には、該噴霧装置から噴霧された水滴のルーバーへの噴霧領域を拡大し得るように、該水滴と前記送風機からの噴出空気流とを誘導案内するガイド手段が配設されることを特徴としている。
【０００９】
さらに請求項４の発明は、前記請求項３の発明の特徴に加えて、前記ガイド手段は、前記噴霧装置の水噴霧部の略真下に延びる鉛直軸線回りに互いに同心状に配列され且つその半径方向に間隔をおいて並ぶ、直径の相異なる複数の円形ルーバーを備え、各ルーバーの前記鉛直軸線に対する傾斜角は、大径のルーバーほど大きくなるように設定されたことを特徴とする。
【発明の効果】
【００１０】
以上のように各請求項の発明によれば、ノズル口径の相異なる複数種類の噴水ノズルを有して体験室にその上方より水を下向きに噴霧し得る噴霧装置と、その噴霧装置よりも下方で体験室の天井部を構成するように配設され、該噴霧装置により噴霧された無数の水滴を当てて雨粒として集積滴下させる水平なルーバーと、そのルーバーから滴下する雨粒を下方に付勢すべく、噴霧装置上方から該ルーバーを通して体験室内に下向きに送風する送風機とを備えた降雨体験装置において、体験室内の自動車モデル内に体験者が入り、擬似走行風発生手段がルーバーよりも下方でフロントガラスの正面側より該フロントガラスに向かって擬似走行風の送風を行うことで自動車モデルのフロントガラスに対しルーバーからの滴下雨粒を勢いよく吹き当てるようにしたので、車両走行状態を想定した様々な降雨状況や降雨強さを再現できるようになって体験者、即ちドライバーにリアルな降雨体験をさせることができ、これにより、実際の大雨運転時において降雨量の的確な判断ができるようになる。しかも使用に当たり、体験者は室内の自動車モデルに乗降するだけでよく、体験室に本物の自動車を出入りさせる必要はないから、取り扱いが簡便であるばかりか、体験室の構造を極力簡単化し且つ小型化することができ、コスト節減に寄与することができる。
【００１１】
また特に請求項２の発明によれば、第１空気流発生手段により発生してフロントガラスに正面衝突する空気流と、第２空気流発生手段により発生してフロントガラスにその前面に沿って下側より吹き上がる空気流とにより、上記擬似走行風を生じさせるようにしたので、車両走行状態での走行風（延いてはルーバーからの滴下雨粒）のフロントガラスへの当たり具合をよりリアルに再現することができるから、走行時の降雨状況をより忠実に体感させることが可能となる。
【００１２】
また、車両走行時における降雨状態を再現するためには、非走行時よりも多くの雨粒をフロントガラスに降らせることが必要となるところ、特に請求項３の発明によれば、噴霧装置とルーバーとの間に設けたガイド手段により、噴霧装置から噴霧される微小水滴のルーバーへの噴霧拡散領域を拡大できることから、噴霧装置や送風機の増設や大容量化を極力抑えながらルーバーにより多くの雨粒を集めて該ルーバーから効率よく滴下させ、十分な降雨量を確保可能となるため、車両走行時の降雨状況を極力低コストで的確に再現することができる。
【００１３】
また特に請求項４の発明によれば、上記ガイド手段は、噴霧装置の水噴霧部の略真下に延びる鉛直軸線回りに互いに同心状に配列され且つその半径方向に間隔をおいて並ぶ、互いに直径の相異なる複数の円形ルーバーを備え、各ルーバーの鉛直軸線に対する傾斜角が、大径のルーバーほど大きくなるように設定されるので、上記ガイド手段は、比較的簡単なルーバー構造で、噴霧装置の水噴霧部から噴霧された微小水滴と送風機からの噴出空気流とを、噴霧装置の水噴霧部の周辺領域に無理なくスムーズに誘導案内できるようになり、従って、噴霧装置から噴霧された微小水滴のルーバーへの噴霧拡散領域の拡大が効果的になされる。
【発明を実施するための最良の形態】
【００１４】
本発明の実施の形態を、添付図面に例示した本発明の実施例に基づいて以下に具体的に説明する。
【００１５】
添付図面において、図１は、本発明の一実施例に係る降雨体験装置の一部破断全体側面図、図２は、図１の２−２線拡大断面図、図３は図１の３矢視図、図４は、図３の４−４線拡大断面図、図５は、図２の５−５線拡大断面図、図６は、図２の６−６線拡大断面図、図７は、図４の７−７線拡大断面図、図８は、図７の８−８線拡大断面図、図９は、図８の９−９線断面図、図１０は、体験室床部、側壁部、及び屋根の配管を概略的に示す配管図、図１１は、図１０の１１−１１線断面図、図１２は、水の循環経路を概略的に示す配管図である。
【００１６】
降雨体験装置Ａは、そのハウジングＨが小屋形に形成され、図示しないトラック等の自走車両の車台上に積卸し可能に搭載できる構造・形態となっている。そのハウジングＨの内部には、人が出入り可能な体験室Ｒが形成される。
【００１７】
またハウジングＨの内部には、体験室Ｒにその上方より水を下向きに噴霧し得る噴霧装置Ｊｅと、その噴霧装置Ｊｅよりも下方で体験室Ｒの天井部を構成するよう配設され、該噴霧装置Ｊｅより噴霧された無数の微小水滴を当てて雨粒として集積滴下させるルーバーＬと、そのルーバーＬから滴下する雨粒を下方に助勢すべく該ルーバーＬを通してその上方から体験室Ｒ内に送風する複数の送風機Ｂと、体験室Ｒ内に設置固定されて、同室Ｒに入った体験者が乗降可能な自動車モデルＭと、この自動車モデルＭのフロントガラスＦｇに対し前記ルーバーＬからの滴下雨粒を吹き当てるべく、該ルーバーＬよりも下方で該フロントガラスＦｇの正面側より該フロントガラスＦｇに向かって擬似走行風の送風を行う擬似走行風発生手段Ｗと、自動車モデルＭｖ内の体験者がフロントガラスＦｇを通して視認可能な前方道路表示部１とが配設される。
【００１８】
次に降雨体験装置Ａの具体的構成を説明する。
【００１９】
前記ハウジングＨは、上面を開放した箱状ハウジング本体Ｈｍと、そのハウジング本体Ｈｍの開放上面を覆って該ハウジングＨに着脱可能に取付けられる屋根Ｈｒとを備える。屋根Ｈｒの内面には、体験室Ｒの天井部となる前記ルーバーＬと、該ルーバーＬよりも上方で前記噴霧装置Ｊｅ及び送風機Ｂをそれぞれ支持するための支持枠２とが固着される。その支持枠２の上部には、ハウジングＨの長手方向に間隔をおいて並列すると共に下向きに送風可能な複数の送風機Ｂが装着され、またその支持枠２の下部には、噴霧装置Ｊｅの給水配管系統が固定的に支持される。
【００２０】
噴霧装置Ｊｅの前記給水配管系統は、図示例では給水源に並列に連なる４系統の給水パイプ４1 〜４4 より構成される。そのうち、最小口径の第１ノズルＮ1 を有する第１給水パイプ４1 、その次に大きい口径の第２ノズルＮ2 を有する第２給水パイプ４2 、その次に大きい口径の第３ノズルＮ3 及び霧用ノズルＮ0 を有する第３給水パイプ４3 は、その各々の下流側が二股状に分岐して前記支持枠２の左右両側に体験室長手方向に沿って固着され、また最大口径の第４ノズルＮ4 及び霧用ノズルＮ0 ′を有する第４給水パイプ４4 は、前記支持枠２の左右中央部に体験室長手方向に沿って固着される。
【００２１】
而して支持枠２には、体験室Ｒの左右方向及び長手方向にそれぞれ間隔をおいて複数の円板状ノズル取付枠Ａ1 〜Ａ9 が固設され、その左右両側の複数のノズル取付枠Ａ1 〜Ａ3 ，Ａ7 〜Ａ9 には、第１〜第３給水パイプ４1 〜４3 の各ノズルＮ1 〜Ｎ3 ，Ｎ0 がそれぞれ集中配備され、また左右中央の複数のノズル取付枠Ａ4 〜Ａ6 には、第４給水パイプ４4 の各ノズルＮ4 ，Ｎ0 ′がそれぞれ集中配備される。尚、各ノズルＮ1 〜Ｎ4 ，Ｎ0 ，Ｎ0 ′には、その各々を個別に開閉し得る電磁開閉弁（図示せず）が内蔵される。
【００２２】
前記ルーバーＬは、体験室Ｒの左右方向に等間隔をおいてその前後方向にそれぞれ直線状に延び且つ鉛直に配置された多数の帯板状縦枠Ｌａ…と、体験室Ｒの前後方向に等間隔をおいてその左右方向にそれぞれ直線状に延び且つ鉛直に配置された帯板状の多数の横枠Ｌｂ…とを格子状に交差、結合して構成される。
【００２３】
更に前記噴霧装置ＪｅとルーバーＬとの間には、該噴霧装置Ｊｅから噴霧された水のルーバーＬへの噴霧領域を拡大し得るように、該水と前記送風機Ｂからの噴出空気流とを誘導案内するガイド手段Ｇが配設され、該ガイド手段Ｇは、前記支持枠２に一体的に吊持される。
【００２４】
前記ガイド手段Ｇは、噴霧装置Ｊｅの水噴霧部としての前記ノズルＮ1 〜Ｎ4 ，Ｎ0 の集中配備エリア（即ち前記各ノズル取付枠Ａ1 〜Ａ9 の略中心部）を通る鉛直軸線回りに互いに同心状に配列され且つその半径方向に間隔をおいて並ぶ、直径の相異なる複数の円形ルーバー３…と、それら円形ルーバー３…相互間を一体的に結合すべく放射状に延びる連結枠７とより構成され、各ルーバー３の前記鉛直軸線に対する傾斜角は、大径のルーバー３ほど大きくなるように設定される。
【００２５】
前記ハウジング本体Ｈｍは、その長手方向に沿って延びる左，右側壁Ｈｍｌ，Ｈｍｒと、その左，右側壁Ｈｍｌ，Ｈｍｒの各前後端間を接続する前，後壁Ｈｍｆ，Ｈｍｂを有する直方体状に形成され、特に外部の観客から見て正面となる左側壁Ｈｍｌは、体験室Ｒ内が透けて見えるように透明体より構成される。しかも図示例では、左側壁Ｈｍｌが、屏風式に折り畳み可能な複数の透明板より構成され、その一部の透明板を前後一方側に寄せ動かすことで体験室Ｒの左側面（外の観客から見て正面）を大きく開放し、体験者が容易に出入りできるようになっている。
【００２６】
また前記自動車モデルＭは、体験室Ｒにその中央より後方側に寄せて設置、固定されており、図示例では、フロントガラスＦｇより前方への車体張出量が比較的小さい車両、例えば小型トラックやワンボックスカーの運転席を含む車体前半部だけが使用され、これにより、体験室Ｒ内にその有効容積を十分に確保しつつ自動車モデルＭを無理なく設置可能となる。また自動車モデルＭは、その前面が体験室Ｒの前方左向きにやや傾斜して配置されており、これにより、体験室Ｒ外の人が透明な左側壁Ｈｍｌを通して自動車モデルＭのフロントガラスＦｇに雨が当たる様子をよく観察できるようになっている。また自動車モデルＭは、通常の自動車と同様、人が出入りするための左，右一対のドアＭａを備えている。
【００２７】
また前記ハウジング本体Ｈｍの前壁Ｈｍｆは、外側壁５０と、これに空隙を存して対向する内側壁５１とで構成され、その内側壁５１の、体験室Ｒに臨む内面には、自動車モデルＭ内の体験者からフロントガラスＦｇ越しに前方道路を含む風景が見えるように、該風景を表した前方道路表示部１が付されている。
【００２８】
また前記擬似走行風発生手段Ｗは、図示例では、体験室Ｒの、フロントガラスＦｇとの対向壁（即ちハウジング本体Ｈｍの前壁Ｈｍｆ）に配設されて、該フロントガラスＦｇに正面衝突する空気流を発生させる第１空気流発生手段Ｗ１と、同内壁に配設されて該フロントガラスＦｇにその前面に沿って下側より吹き上がる空気流を発生させる第２空気流発生手段Ｗ２とを備えており、次にそれらの構成を説明する。
【００２９】
即ち、前記外側壁５０及び内側壁５１間にはブロワ室５２が画成されており、このブロワ室５２には、第１空気流発生手段としての左右一対の第１ブロワＷ１と、第２空気流発生手段としての左右一対の第２ブロワＷ２とが収納、設置され、各ブロワＷ１，Ｗ２は何れも電動モータで駆動される。左右一対の第１ブロワＷ１は、ブロワ室５２の上部に位置しており、その各々の空気噴出口Ｗ１ａは、噴出空気を整流するルーバーを備えて自動車モデルＭｖのフロントガラスＦｇに向かってやや下向きに開口し、これにより、その噴出空気流がフロントガラスＦｇに正面衝突するようになっている。
【００３０】
また第２空気流発生手段としての左右一対の第２ブロワＷ２は、ブロワ室５２の下部に位置しており、その各々の空気噴出口Ｗ２ａは、噴出空気を整流するルーバーを備えて自動車モデルＭｖ直前の路面（体験室Ｒの床板ｆ）に向かって斜め下向きに開口し、これにより、その噴出空気流が該路面を反射して、自動車モデルＭの前面（フロントガラスＦｇ）に沿ってその下側より吹き上がるようになっている。そして、これらブロワＷ１，Ｗ２の噴出空気流は、静止状態にある自動車モデルＭに恰も走行風のように作用し、同モデルＭの仮想的な走行状態を演出することができる。
【００３１】
而して第１・第２ブロワＷ１，Ｗ２に対する通電制御により、それらブロワＷ１，Ｗ２から噴出する空気の風速乃至風圧を段階的又は連続的に調整することができ、これにより、自動車モデルＭがその前方より受ける擬似走行風の風速乃至風圧を調整して、仮想の走行状態での想定車速を任意に（例えば５０ｋｍ／ｈ、７０ｋｍ／ｈ、９０ｋｍ／ｈ、１１０ｋｍ／ｈ）に設定変更可能である。
【００３２】
更にハウジングＨには、降雨体験の演出又は案内に使用するための防水型スピーカと、これに音声を出力させるオーディオ装置（何れも図示せず）が設置されている。
【００３３】
またハウジング本体Ｈｍの右側壁Ｈｍｒの、体験室Ｒに臨む内面には、道路側方の風景１′が描かれており、またその内面上部には、体験中の想定降雨量や想定車速を表示するための液晶パネル等の表示パネル１０が設けられる。
【００３４】
ハウジングＨの下部（即ち体験室Ｒの床下）には、降雨体験装置Ａの運転中に使用される水を貯溜させるための複数の貯水タンクＴと、このタンクＴ内の水を通して吸引して噴霧装置Ｊｅの各噴水ノズルＮ1 〜Ｎ4 ，Ｎ0 に圧送し得る電動式の給水ポンプＰと、この給水ポンプＰに連動連結されて該ポンプを駆動し得るポンプモータＭｐとが設置されている。
【００３５】
給水ポンプＰの吐出流路９にはフィルタ１６が介装され、そのフィルタ１６よりも下流側の吐出流路９は、前記第１，第２給水パイプ４1 ，４2 にそれぞれ連通する第１，第２接続流路６1 ，６2 と、前記第３給水パイプ４3 に互いに並列に連通する第３接続流路６3 及び霧用流路６0 と、前記第４給水パイプ４4 に互いに並列に連通する第４接続流路６4 及び霧用流路６0 ′とに分岐している。そして各接続流路６1 〜６4 ，６0 ，６0 ′には、減圧弁Ｖ1 〜Ｖ4 ，Ｖ0 ，Ｖ0 ′とチェック弁Ｅ1 〜Ｅ4 ，Ｅ0 ，Ｅ0 ′とが上流側より順次介装されている。前記減圧弁Ｖ1 〜Ｖ4 ，Ｖ0 ，Ｖ0 ′は、それよりも下流側の水圧（従って対応するノズルＮ1 〜Ｎ4 ，Ｎ0 ，Ｎ0 ′の噴射圧）を給水ポンプＰの吐出圧変動に関係なく適正圧に保つ働きをする。またチェック弁Ｅ1 〜Ｅ4 ，Ｅ0 ，Ｅ0 ′は、ノズルＮ1 〜Ｎ4 ，Ｎ0 ，Ｎ0 ′から給水ポンプＰ側への水の逆流を阻止する。
【００３６】
前記接続流路６1 〜６6 の中間部は、前記ブロア室５２に隣接する配管室５４に沿って上下方向に延び、その上端が対応する給水パイプ４1 〜４4 の基端にそれぞれ接続される。尚、前記吐出流路９には、バイパスコック１７付き短絡路１８の一端が接続され、この短絡路１８の他端は貯水タンクＴに連通する。そのバイパスコック１７は通常は閉じられており、給水ポンプＰ及び配管内のエア抜きを行う場合や、同ポンプＰを長期間無負荷運転させる場合に一時的に開放操作される。
【００３７】
而して給水ポンプＰの運転状態（即ちポンプモータＭｐへの通電状態）において、第１噴水ノズルＮ1 の内蔵電磁弁を開弁させて該ノズルＮ1 のみから水が噴霧された状態で各送風機Ｂが第１の風量段階で作動する場合には降雨量１０mm／ｈの降雨強度に相当するように、また第２噴水ノズルＮ2 の内蔵電磁弁を開弁させて該ノズルＮ2 のみから水が噴霧された状態で各送風機Ｂが第１の風量段階よりも強い第２の風量段階で作動する場合には降雨量２０mm／ｈの降雨強度に相当するように、更に第３噴水ノズルＮ3 の内蔵電磁弁を開弁させて該ノズルＮ3 のみから水が噴霧された状態で各送風機Ｂが第２の風量段階よりも強い第３の風量段階で作動する場合には降雨量５０mm／ｈの降雨強度に相当するように、更にまた第４噴水ノズルＮ4 の内蔵電磁弁を開弁させて該ノズルＮ4 のみから水が噴霧された状態で各送風機Ｂが第３の風量段階よりも強い第４の風量段階で作動する場合には降雨量１００mm／ｈの降雨強度に相当するように、各噴水ノズルＮ1 〜Ｎ4 のノズル口径及び送風機Ｂの各風量段階が設定される。尚、霧用ノズルＮ0 又はＮ0 ′の内蔵電磁弁を開弁すると、霧用ノズルＮ0 又はＮ0 ′から霧のような超微細な水滴を併せて噴霧し得るようになっている。
【００３８】
前記体験室Ｒの床面は、多数の透水孔を有する水平な床板ｆ（例えば簀の子板）より形成されており、その床板ｆの直下に空隙を存して形成されるベース面には、ドレン口１１と、そのドレン口１１に向かって排水を案内流下させる誘導斜面１２とが設けられる。そして降雨体験装置Ａの運転に伴い床板ｆ上に降下した水は、該床板ｆの透水孔を経て前記誘導斜面１２に落下し、該斜面１２によりドレン口１１に集められて、その直下の貯水タンクＴ内に回収される。
【００３９】
ハウジングＨの外壁適所には、外部より任意に操作可能な制御盤Ｃが設置されており、この制御盤Ｃには、ポンプモータＭｐへの通電をオンオフ制御するための操作部、降雨量を複数段階（図示例では１０mm／ｈ、２０mm／ｈ、５０mm／ｈ、１００mm／ｈ）に選定切換えるための操作部、前記オーディオ装置（図示せず）の操作部、第１・第２空気流発生手段としての第１・第２ブロワＷ１，Ｗ２の風速乃至風圧（従って自動車モデルＭの想定車速）を複数段階（例えば５０ｋｍ／ｈ、７０ｋｍ／ｈ、９０ｋｍ／ｈ、１１０ｋｍ／ｈ）に選定切換えるための操作部、その他の操作部と、電源スイッチとが設けられる。
【００４０】
次に前記実施例の作用を説明する。
【００４１】
先ず降雨体験装置Ａを車両Ｖに搭載して所望の場所まで運搬し、その運搬先の地面等にハウジングＨをクレーン等で降ろす等して定置する。
【００４２】
降雨体験装置Ａの使用に当たっては先ず、貯水タンクＴ内を水で満たし、操作盤Ｃの操作によりポンプモータＭｐに通電（その電源は、外部電源又は、体験装置若しくは運搬車両に附属のバッテリを適宜使用）して給水ポンプＰの運転を開始する。そしてバイパスコック１７を開放操作して所定のポンプ圧が得られるまで同ポンプＰ及び配管内のエア抜きを行う。このエア抜きが終わると準備完了となり、体験者が体験室Ｒ内に入って、自動車モデルＭ内に乗り込む。
【００４３】
降雨体験装置Ａの運転は、「自動演出モード」と「マニュアル演出モード」とがあり、いずれのモードを選択するか制御盤Ｃのモード選択ボタンにより操作する。
【００４４】
例えば、「自動演出モード」が選択されてスタートボタンが押された場合には、制御盤Ｃ内のマイクロコンピュータ等を含む制御装置が、予め設定された制御プログラムに基づいて複数段階の想定降雨量（図示例では１０mm／ｈ、２０mm／ｈ、５０mm／ｈ、１００mm／ｈ）と、複数段階の想定車速（例えば５０ｋｍ／ｈ、７０ｋｍ／ｈ、９０ｋｍ／ｈ、１１０ｋｍ／ｈ）とを適宜組み合わせて関係機器を所定のタイミングで作動させる。
【００４５】
即ち、想定降雨量の選定切換えは、各降雨量に合わせて噴水ノズルＮ1 〜Ｎ4 の内蔵電磁弁を選択的に開弁動作させて対応ノズルＮ1 〜Ｎ4 から水を下向きに噴霧するようにし、その噴水ノズルＮ1 〜Ｎ4 の噴霧タイミングに合わせて送風機Ｂの送風量も段階的に切換える。そして、これらの切換タイミングに合わせて、図示しないスピーカからは実行中の降雨量の案内（アナウンス）と、降雨量に対応した雨音や風音等を発して降雨量に応じた降雨状況をリアルに演出する。尚、本実施例の如くノズル口径の異なる複数種類の噴水ノズルＮ1 〜Ｎ4 のうちから一種類ずつ選択的に水を噴霧させるようにすれば、それらノズルＮ1 ，Ｎ2 ，Ｎ3 ，Ｎ4 の口径にそれぞれ対応して降雨量が１０mm／ｈ、２０mm／ｈ、５０mm／ｈ、１００mm／ｈというように順次段階的に切換可能であるが、少なくとも２種類の噴水ノズルより同時に水を噴霧するようにすれば、上記以外の降雨量の設定も可能である。
【００４６】
而して各噴水ノズルＮ1 〜Ｎ4 より選択的に噴霧された無数の水滴は、体験室Ｒの天井部たるルーバーＬに当たって、十分な大きさの雨粒として成長集積すると共に適当な間隔をおいて該ルーバーＬの各帯板５1 …，５2 …の下端より自然に滴下する。しかもその滴下した雨粒は送風機Ｂからの風で下向きに助勢されるため、比較的狭小な体験室Ｒ内に於いても雨粒を十分な降下速度で断続的に降らせることができて、自然の雨の感じに極力近づけることができる。そしてノズル口径の異なる複数種類の噴水ノズルＮ1 〜Ｎ4 を選択的に使用し且つ送風機Ｂの風の強さを適宜に選定することで降雨強度の様々な選定切換えが可能となるため、降雨量に応じた様々な降雨状況が極力忠実に再現される。
【００４７】
また、想定車速の選定切換えは、各車速に合わせて第１，第２ブロワＷ１，Ｗ２への通電制御を行って、それらブロワＷ１，Ｗ２から噴出する空気の風速乃至風圧を調整することにより、自動車モデルＭがその前方より受ける擬似走行風の風速乃至風圧を変化させるようにして、仮想の走行状態での想定車速（例えば５０ｋｍ／ｈ、７０ｋｍ／ｈ、９０ｋｍ／ｈ、１１０ｋｍ／ｈ）を可変設定する。そして、このように自動車モデルＭのフロントガラスＦｇにその前方より仮想の走行風が当たることで、前記した降雨・走行状態でフロントガラスＦｇに雨がどのように当たるのかをリアルに再現でき、自動車モデルＭ内の体験者は、各想定車速で且つ想定降雨量の場合に車内からの視界がどのようなものなのかを手軽に体験、学習することができる。
【００４８】
また、前記「マニュアル演出モード」が選択された場合には、制御盤Ｃの降雨量及び車速の各選定操作部を操作して、予め設定された複数段階の想定降雨量及び想定車速の中から体験しようとする降雨量及び車速に対応した選択ボタンをオン操作する。これにより、選択された降雨量及び車速に合わせて、噴水ノズルＮ1 〜Ｎ4 の内蔵電磁弁の１つが開弁動作して対応ノズルＮ1 〜Ｎ4 から水が下向きに噴霧されると共に送風機Ｂから対応する風量段階の送風が開始され、且つ第１，第２ブロワＷ１，Ｗ２への通電制御がなされて該ブロワから想定車速に応じた風速乃至は風圧の空気流が噴出する。
【００４９】
そして、その選択された降雨量及び車速に合わせてスピーカＳｐからは実行中の降雨量の案内（アナウンス）と、降雨量及び車速に対応した雨音や風音等を発して降雨状況をリアルに演出する。尚、前記降雨量の選択ボタンを複数同時にオン操作すれば、その同時操作されたボタンに対応した降雨量の総和に等しい降雨量が設定可能であり、例えば２０mm／ｈの選択ボタンと、５０mm／ｈの選択ボタンとを同時に押せば、降雨量を７０mm／ｈに設定することができる。
【００５０】
而して本実施例では、体験室Ｒ内の自動車モデルＭに体験者が入り、ノズル口径の異なる複数種類の噴水ノズルＮ1 〜Ｎ4 からの水滴の噴霧量を調整し且つ送風機Ｂの風の強さを適宜に選定することで、ルーバーＬから人口的に雨を降らせてその降雨量に応じた様々な降雨状況が極力忠実に再現でき、その上、第１，第２ブロワＷ１，Ｗ２から噴出する空気の風速乃至風圧を調整することで、自動車モデルＭがその前方より受ける擬似走行風の風速乃至風圧を調整して、仮想の走行状態でフロントガラスＦｇに対しルーバーＬからの滴下雨粒を勢いよく吹き当てることができる。これにより、想定された降雨・走行状態でフロントガラスＦｇに雨がどのように当たるのかをリアルに再現でき、自動車モデルＭ内の体験者は、各想定車速・想定降雨量で車内からの前方視界がどのようなものなのかを手軽に体験、学習することができる。尚、外部の観客も上記降雨・走行状態での車両への雨の当たり具合をリアルに観察することができる。
【００５１】
こうして、様々な降雨量・車速での降雨走行時における雨の自動車前面への当たり具合をリアルに再現できて、ドライバーにリアルな降雨走行体験をさせることができるから、ドライバーは、実際の大雨走行時において降雨量等の的確な判断ができるようになる。しかも使用に当たり、体験者は室内の自動車モデルＭに乗降するだけでよく、体験室Ｒに本物の自動車を出入りさせる必要はないから、取り扱いが簡便であるばかりか、体験室Ｒの構造を極力簡単且つ小型化することができる。
【００５２】
また特に本実施例においては、第１ブロワＷより発生してフロントガラスＦｇに正面衝突する空気流と、第２ブロワＷ２より発生してフロントガラスＦｇにその前面に沿って下側より吹き上がる空気流とにより、擬似走行風を生じさせるようにしているため、車両走行状態での走行風（延いてはルーバーＬからの滴下雨粒）のフロントガラスＦｇへの当たり具合をよりリアルに再現可能となり、走行時の降雨体験がより忠実なものとなる。
【００５３】
また車両走行時における降雨状態を再現するためには、非走行時よりも多量の雨粒をフロントガラスＦｇに効率よく降らせることが必要となるが、本実施例では、噴霧装置ＪｅとルーバーＬとの間に、該噴霧装置Ｊｅから噴霧された水と送風機Ｂからの噴出空気流とを誘導案内するガイド手段Ｇが配設されるので、噴霧装置Ｊｅから噴霧される微小水滴のルーバーＬへの噴霧拡散領域を効果的に拡大でき、従って、噴霧装置Ｊｅや送風機Ｂの増設や大容量化を極力抑えながらルーバーＬにより多量の雨粒を集めて該ルーバーＬから効率よく滴下させることができるから、十分な降雨量を確保可能となる。
【００５４】
以上、本発明の実施例について説明したが、本発明はその実施例に限定されることなく、本発明の範囲内で種々の実施例が可能である。例えば前記実施例では、ルーバーＬを構成する縦枠Ｌａ及び横枠Ｌｂを帯板状として鉛直配置としたものを示したが、本発明では、そのルーバーＬの縦枠及び横枠を、水平面に対し所定角度傾斜させて配置してもよく、また各縦枠及び横枠の中間部を横断面弓状に湾曲形成したり或いは横断面く字状に屈曲形成してもよく、更にその縦枠及び横枠の一方を省略することも可能である。
【００５５】
また前記実施例では、何れの噴水ノズルＮ1 〜Ｎ4 からも噴霧しない場合や、第１又は第２噴水ノズルＮ1 ，Ｎ2 から噴霧する場合に霧状の超微細な水滴を噴霧できるように霧用ノズルＮ0 ，Ｎ0 ′を併設したものを示したが、このような霧用ノズルＮ0 ，Ｎ0 ′と、これに対応する流路６0 ，６0 ′（従ってその流路中の減圧弁Ｖ0 ，Ｖ0 ′、チェック弁Ｅ0 ，Ｅ0 ′）とは省略可能である。
【００５６】
尚、前記実施例では、第２空気流発生手段としての左右一対の第２ブロワＷ２からの噴出空気を自動車モデルＭｖの直前の路面（体験室Ｒの床板ｆ）で一旦、反射させてから自動車モデルＭの前面（フロントガラスＦｇ）に沿ってその下側より吹き上がるようにしたものを示したが、本発明では、前記第２ブロワＷ２からの噴出空気を自動車モデルＭｖの直前の路面（体験室Ｒの床板ｆ）に反射させずに、自動車モデルＭの前面（フロントガラスＦｇ）に沿う方向に直接向かわせるように、空気噴出口Ｗ２ａの開口方向及び開口位置を設定してもよい。
【図面の簡単な説明】
【００５７】
【図１】本発明の一実施例に係る降雨体験装置の一部破断全体側面図
【図２】図１の２−２線拡大断面図
【図３】図１の３矢視図
【図４】図３の４−４線拡大断面図
【図５】図２の５−５線拡大断面図
【図６】図２の６−６線拡大断面図
【図７】図４の７−７線拡大断面図
【図８】図７の８−８線拡大断面図
【図９】図８の９−９線断面図
【図１０】体験室床部、側壁部、及び屋根の配管を概略的に示す配管図
【図１１】図１０の１１−１１線断面図
【図１２】水の循環経路を概略的に示す配管図
【符号の説明】
【００５８】
Ａ・・・・・降雨体験装置
Ｂ・・・・・送風機
Ｇ・・・・・ガイド手段
Ｈ・・・・・ハウジング
Ｈｍ・・・・ハウジング本体
Ｈｍｆ・・・ハウジング本体の前壁（フロントガラスとの対向壁）
Ｆｇ・・・・フロントガラス
Ｊｅ・・・・噴霧装置
Ｌ・・・・・ルーバー
Ｍ・・・・・自動車モデル
Ｎ1 〜Ｎ4 ・・第１〜第４噴水ノズル（噴水ノズル）
Ｒ・・・・・体験室
Ｗ・・・・・擬似走行風発生手段
Ｗ１・・・・第１ブロワ（第１空気流発生手段）
Ｗ２・・・・第２ブロワ（第２空気流発生手段）
１・・・・・前方道路表示部
３・・・・・円形ルーバー
【図１】
2005037720.tif 000003
【図２】
2005037720.tif 000004
【図３】
2005037720.tif 000005
【図４】
2005037720.tif 000006
【図５】
2005037720.tif 000007
【図６】
2005037720.tif 000008
【図７】
2005037720.tif 000009
【図８】
2005037720.tif 000010
【図９】
2005037720.tif 000011
【図１０】
2005037720.tif 000012
【図１１】
2005037720.tif 000013
【図１２】
2005037720.tif 000014